(57)【要約】【課題】  圧接点の変更時の揺れや振動を抑制して就寝時に安眠できるようにした床擦れ防止ベッドを提供する。【解決手段】  空気の送排気で膨縮できる複数のエアチューブ２ａをベッドの長手方向に列設し、２本おきのエアチューブ２ａ間の上面位置にエアチューブ２ａより大径の圧接ロール３をエアチューブ２ａと同方向に列置し、奇数列と偶数列のエアチューブ２ａの空気の送排気を独立して行うエアコンプレッサ６を設け、各エアチューブ２ａの膨縮で圧接ロール３を左右へ移動させて圧接点を変更できるようにする。エアコンプレッサ６は、奇数列と偶数列のエアチューブ２ａの空気の送排気が逆となるように設定した時間おきにタイマで自動的に切り替えて作動させる。【選択図】  図１
2008289630.tif 000002
【特許請求の範囲】
【請求項１】
空気の送排気で膨縮できる複数のエアチューブをベッドの長手方向に列設し、２本おきのエアチューブ間の上面位置にエアチューブより大径の圧接ロールをエアチューブと同方向に列置し、奇数列と偶数列のエアチューブの空気の送排気を独立して行う空気送排気手段を設け、各エアチューブの膨縮で圧接ロールを左右へ移動させて圧接点を変更できるようにした、床擦れ防止ベッド。
【請求項２】
エアチューブと圧接ロールの途中位置を縮径して中折れできるようにした、請求項１記載の床擦れ防止ベッド。
【請求項３】
隣接する圧接ロール同士を紐材で連結した、請求項１又は２記載の床擦れ防止ベッド。
【請求項４】
空気送排気手段が、奇数列と偶数列のエアチューブの空気の送排気が逆となるように設定した時間おきに自動的に切り替えて作動させるようにしたものである、請求項１〜３いずれか記載の床擦れ防止ベッド。
【発明の詳細な説明】
【技術分野】
【０００１】
本発明は、身障者や寝たきり患者の床擦れを防止するベッドに関する。
【背景技術】
【０００２】
従来のベッドとしては、内部にスプリングやウレタンフォームを組み込んでクッション性を均一に付与した平坦なマットレスを備えたものが主流である。このようなマットレスは、お年寄りや身障者，患者など自身で寝返りが困難な人が長時間に渡って使用していると、身体の血行を阻害して床擦れを生じさせる恐れがあった。
【０００３】
そこで、出願人は特許文献１で開示されている床擦れ防止ベッドを開発した。この技術は、ベッドフレームに複数の圧接ロールを列設して回転自在に軸支した構造で、圧接ロール上で身体を動かして圧接点を変えることで床擦れを防止できるようにしたことを特徴としている。
【０００４】
しかし、前記技術では身体を積極的に動かす必要があるから、介護者の介護が必要で負担が大きかった。また、圧接ロールを設定した時間おきに自動的に正逆回転させて身体を左右へ移動させ、介護者の負担を軽減できるようにした技術も開示されているが、就寝時では身体の移動に伴う揺れや振動で安眠を邪魔することがあった。
【特許文献１】特開２００４−２５４９８４号公報
【発明の開示】
【発明が解決しようとする課題】
【０００５】
本発明が解決しようとする課題は、従来のこれらの問題点を解消し、圧接点の変更時の揺れや振動を抑制して就寝時に安眠できるようにした床擦れ防止ベッドを提供することにある。
【課題を解決するための手段】
【０００６】
かかる課題を解決した本発明の構成は、
１）  空気の送排気で膨縮できる複数のエアチューブをベッドの長手方向に列設し、１本おきのエアチューブ間の上面位置にエアチューブより大径の圧接ロールをエアチューブと同方向に列置し、奇数列と偶数列のエアチューブの空気の送排気を独立して行う空気送排気手段を設け、各エアチューブの膨縮で圧接ロールを左右へ移動させて圧接点を変更できるようにした、床擦れ防止ベッド
２）  エアチューブと圧接ロールの途中位置を縮径して中折れできるようにした、前記１）記載の床擦れ防止ベッド
３）  隣接する圧接ロール同士を紐材で連結した、前記１）又は２）記載の床擦れ防止ベッド
４）  空気送排気手段が、奇数列と偶数列のエアチューブの空気の送排気が逆となるように設定した時間おきに自動的に切り替えて作動させるようにしたものである、前記１）〜３）いずれか記載の床擦れ防止ベッド
にある。
【発明の効果】
【０００７】
本発明では、空気送排気手段を奇数列と偶数列のエアチューブの空気の送排気が逆となるように作動させると、膨張したエアチューブと収縮したエアチューブが交互に並んだ状態となり、圧接ロールが収縮したエアチューブ側へ自重で移動する。その後、奇数列と偶数列のエアチューブの空気の送排気を前記とは逆に行うと、膨張していたエアチューブが収縮するとともに収縮していたエアチューブが膨張し、圧接ロールが膨張により押し上げられた後に収縮した隣のエアチューブ側へ自重で移動する。
【０００８】
このように、エアチューブの膨縮による圧接ロールの移動で身体が定位置のまま圧接点が左右に変わるから、圧接点の変更時は身体の揺れがほとんどなく、また身体の移動も不要で、就寝時に安眠できるようになる。
【発明を実施するための最良の形態】
【０００９】
本発明では、エアチューブと圧接ロールの途中位置を縮径すると、エアチューブの膨張時でも身体の上半身を起こすために中折れできるようになる。隣接する圧接ロール同士を紐材で連結すると、全ての圧接ロールの動きを連動させて左右へ確実に移動できるようになる。空気送排気手段として、奇数列と偶数列のエアチューブの空気の送排気が逆となるように設定した時間おきに自動的に切り替えて作動できるものを用いると、介護者の負担を軽減できる。以下、本発明の実施例を図面に基づいて具体的に説明する。
【実施例１】
【００１０】
図１は実施例の床擦れ防止ベッドの平面図、図２は実施例のエアマットの平面図、図３は実施例の床擦れ防止ベッドの断面図、図４は実施例のエアコンプレッサの説明図、図５は実施例の床擦れ防止ベッドの使用状態を示す説明図、図６は実施例の床擦れ防止ベッドの中折れを示す側面図、図７は実施例のタイマによるエアコンプレッサの作動を示すチャートである。
【００１１】
図中、１は床擦れ防止ベッド、２はエアマット、２ａはエアチューブ、２ｂはバルブ、２ｃは固定ロール、２ｄは溶着部、２ｅは縮径部、３は圧接ロール、３ａは縮径部、５は紐材、６はエアコンプレッサ（空気送排気手段）、６ａはポンプ、６ｂは切替バルブ、６ｃはコントローラ、６ｄはＣＰＵ、６ｅはＲＡＭ、６ｆはＲＯＭ、６ｇはタイマ、６ｈはインターフェイス、７は空気管、Ｂは介護用モーターベッド、Ｈは使用者、Ｍはマットレス、Ｍａは敷布団である。
【００１２】
エアマット２は、図２に示すように長さ２．０ｍ、幅１．０ｍの閉じた熱可塑性のシート状袋体を１２本の長尺のエアチューブ２ａが形成されるように表裏を溶着し、奇数列と偶数列のエアチューブ２ａの内部空間を独立させるとともに各列のエアチューブ２ａ同士を連通した構造にしている。膨張時のエアチューブ２ａの外径は高さ方向が３．５ｃｍ、幅方向が４．５ｃｍで、エアチューブ２ａの中心軸間距離は７ｃｍである。奇数列と偶数列のそれぞれいずれか１本のエアチューブ２ａにはエアコンプレッサ６の空気管７を脱着自在に接続するバルブ２ｂを設けている。エアマット２の左右端には固定ロール２ｃを設け、使用者Ｈが落ちないようにしている。エアチューブ２ａと固定ロール２ｃの途中位置は３箇所縮径して中折れできるようにしている。
【００１３】
圧接ロール３は、図１に示すように圧縮した綿を布袋で密封した円柱状の長尺な弾性体で、２本おきのエアチューブ２ａの上面位置にそれぞれ列置している。圧接ロール３はエアチューブ２ａの縮径部２ｅと同じ位置を紐等で緊締して縮径し、エアチューブ２ａとともに中折れできるようにしている。圧接ロール３の外径は６．５ｃｍである。隣接する圧接ロール３の縮径部３ａ同士は紐材５で連結し、左右への移動を連動できるようにしている。
【００１４】
エアコンプレッサ６は、図４に示すように圧縮空気を送るポンプ６ａと、空気の送排気を切り替える切替バルブ６ｂと、ポンプ６ａの作動と切替バルブ６ｂの切替えを制御するコントローラ６ｃとで構成されている。コントローラ６ｃは、ＣＰＵ６ｄ・ＲＡＭ６ｅ・ＲＯＭ６ｆ・タイマ６ｇ・インターフイス６ｈとで構成され、ＲＯＭ６ｆ内に記録したプログラムで２体の切替バルブ６ｂを２０分間隔で相対的に切り替えて自動運転できるようにしている。
【００１５】
本実施例では、圧接ロール３の上面位置に敷布団Ｍａを敷いて使用する。エアコンプレッサ６を作動させて奇数列のエアチューブ２ａに空気を送気すると、図５（ａ）に示すように奇数列（左側から１本目、３本目、５本目・・・）のエアチューブ２ａが膨張し、偶数列（左側から２本目、４本目、６本目・・・）のエアチューブ２ａは収縮したままとなる。圧接ロール３は奇数列のエアチューブ２ａの膨張で押し上げられた後に収縮している偶数列のエアチューブ２ａ側へ自重で移動する。使用者Ｈが敷布団Ｍａ上に仰向けに寝ると、敷布団Ｍａは使用者Ｈの体重と圧接ロール３間の間隔により凹凸となり、使用者Ｈの背中は敷布団Ｍａと部分的に接して圧接され、接していない部分は血行が維持される。
【００１６】
前記の状態が２０分経過すると、エアコンプレッサ６は２体の切替バルブ６ｂをそれぞれ逆に切り替え、偶数列のエアチューブ２ａに空気を３分間かけて送気するとともに、奇数列のエアチューブ２ａ内の空気が大気開放して排気され、図５（ｂ）に示すように偶数列のエアチューブ２ａが膨張するとともに奇数列のエアチューブ２ａは収縮する。すると、偶数列のエアチューブ２ａ側に位置していた圧接ロール３が膨張で押し上げられた後に収縮した奇数列のエアチューブ２ａ側へ自重で移動し、圧接ロール３の移動で使用者Ｈはほぼ定位置のまま圧接点が横方向へ３．５ｃｍ変わる。
【００１７】
このように、奇数列と偶数列のエアチューブ２ａの空気の送排気の切り替えによる膨縮で圧接ロール３が左右へ移動して圧接点が変わるから、血行を維持して床擦れが防止され、動けない身障者や寝たきり患者でも介護者の介護を受けることなく長時間同じ姿勢で寝ることができるようになった。しかも、身体が定位置のまま圧接点が変わるから、圧接点の変更時は身体の揺れがほとんどなく、身体の移動も不要であり、使用者Ｈは就寝時に安眠できるようになった。また、図６に示すようにエアチューブ２ａと固定ロール２ｃと圧接ロール３の途中位置を縮径しているから、マットレスＭ（又はフレーム）を電動で中折れできる介護用モーターベッドＢに配置して使用することができる。
【産業上の利用可能性】
【００１８】
本発明の床擦れ防止ベッドは、自身で寝返りが困難な身障者や寝たきり患者に有用である。
【図面の簡単な説明】
【００１９】
【図１】実施例の床擦れ防止ベッドの平面図である。
【図２】実施例のエアマットの平面図である。
【図３】実施例の床擦れ防止ベッドの断面図である。
【図４】実施例のエアコンプレッサの説明図である。
【図５】実施例の床擦れ防止ベッドの使用状態を示す説明図である。
【図６】実施例の床擦れ防止ベッドの中折れを示す側面図である。
【図７】実施例のタイマによるエアコンプレッサの作動を示すチャートである。
【符号の説明】
【００２０】
１  床擦れ防止ベッド
２  エアマット
２ａ  エアチューブ
２ｂ  バルブ
２ｃ  固定ロール
２ｄ  溶着部
２ｅ  縮径部
３  圧接ロール
３ａ  縮径部
５  紐材
６  エアコンプレッサ（空気送排気手段）
６ａ  ポンプ
６ｂ  切替バルブ
６ｃ  コントローラ
６ｄ  ＣＰＵ
６ｅ  ＲＡＭ
６ｆ  ＲＯＭ
６ｇ  タイマ
６ｈ  インターフェイス
７  空気管
Ｂ  介護用モーターベッド
Ｈ  使用者
Ｍ  マットレス
Ｍａ  敷布団
【図１】
2008289630.tif 000003
【図２】
2008289630.tif 000004
【図３】
2008289630.tif 000005
【図４】
2008289630.tif 000006
【図５】
2008289630.tif 000007
【図６】
2008289630.tif 000008
【図７】
2008289630.tif 000009